(57)【要約】【課題】ファッション性を重視する衣料等において、衣料等の生地の端部処理に従来のヘム加工等を施すことなく、単に生地を裁断するだけで、その他の加工を行なわなくても良い生地の処理をした衣料を得る。また、当該生地の有する手触り、目付等の特徴を大きく変えることがなく、目的を達することが可能な生地による衣料が得られる。【解決手段】熱融着性を有する第１，第２の弾性繊維糸を非弾性繊維糸と共に編成してなる経編地を用いてなり、熱セット時の加熱により前記経編地を構成する隣接を有する弾性熱融着性繊維糸の互いに接している面同志を融着一体化してなる。【選択図】図１
2009209480.tif 000002
【特許請求の範囲】
【請求項１】
熱融着性を有する第１，第２の弾性繊維糸を非弾性繊維糸と共に編成してなる経編地を用いてなり、熱セット時の加熱により前記経編地を構成する隣接する熱融着性を有する弾性繊維糸の互いに接している面同志を融着一体化してなることを特徴とするほつれ止効果を有する衣料。
【請求項２】
熱融着性を有する第１，第２の弾性繊維糸は一方が他方に比して繊度を大としたことを特徴とする請求項１記載の衣料。
【請求項３】
第１の熱融着性を有する弾性繊維糸は編地内で挿入組織を構成し、第２の熱融着性を有する弾性繊維糸は編地内でニット組織を構成することを特徴とする請求項１記載の衣料。
【発明の詳細な説明】
【技術分野】
【０００１】
本発明は、特にブラジャー，ガードル，キャミソール，ショートガードル，その他ファッション性を重視する衣料において、特にほつれ止めの手当をせずとも裁断し一体化した個所の顕現や該部からのほつれが生じるのを防止することの出来る解れ止効果を得ることの出来る衣料に関する。
【背景技術】
【０００２】
衣料品、特に婦人用品においては着用時、身体の整形上の効果を目的として衣料品の縫製箇所が目立たないようにするため縫い目を作らずに接着により生地を一体化することが行なわれている。また、衣料等の端部の処理例えば裾部等では該部にほつれ止めのためにテープ等を縫着しなければならず、そのため着用感を悪くし、見た目も損なうことにもなった。
【０００３】
そのために、このような布地端縁を裁断したときに、ほつれを防止すると共に、ヘム加工等をなくしても良い生地として生地を切りっぱなしで使用出来る衣類が考えられている（特許文献１）。
この衣料は、熱融着弾性糸とそれ以外の糸とを引き揃え状態で給糸して編成した横編地をヒートセットしているために地厚になるという事態が生じやすい。
【特許文献１】特許第３９８３７２号公報
【発明の開示】
【発明が解決しようとする課題】
【０００４】
本発明は上記の点に鑑みて、ファッション性を重視する衣料等において、衣料等の生地の端部処理に従来のヘム加工等を施すことなく、単に生地を裁断するだけで、その他の加工を行なわなくても良い生地の処理をした衣料を得ることを目的としている。
また、上記処理を行うことにより、当該生地の有する手触り、目付等の特徴を大きく変えることがなく、目的を達することが可能な生地による衣料が得られる。
【課題を解決するための手段】
【０００５】
請求項１記載の発明にあっては、熱融着性を有する第１，第２の弾性繊維糸を非弾性繊維糸と共に編成してなる経編地を用いてなり、熱セット時の加熱により前記経編地を構成する隣接する熱融着性を有する弾性繊維糸の互いに接している面同志を融着一体化してなる。
請求項２記載の発明にあっては、熱融着性を有する第１，第２の弾性繊維糸は一方が他方に比して繊度を大とした。
請求項３記載の発明にあっては、第１の熱融着性を有する弾性繊維糸は編地内で挿入組織を構成し、第２の熱融着性を有する弾性繊維糸は編地内でニット組織を構成する。
【発明の効果】
【０００６】
本発明衣料は、熱融着性を有する第１，第２の弾性繊維糸を非弾性繊維糸と共に編成してなる経編地を用いてなり、熱セット時の加熱により前記経編地を構成する隣接する熱融着性繊維糸の互いに接している面同志を融着一体化してなるために、編地内での糸の固定は互いに接した隣接する糸同志によってのみ行われ、その他の部分は一切前記生地の固定にはかかわらないため編地自体の特徴を変化させるような事態は生じない。
本発明衣料は、第１の熱融着性を有する弾性繊維糸が編地内で挿入組織を構成し、第２の熱融着性を有する弾性繊維糸が編地内でニット組織を構成することによって、前記両糸は熱融着処理時に互いに接触し易く良好に接着一体化が行なえる。
【発明を実施するための最良の形態】
【０００７】
本発明衣料を、その基礎となる編地の構成に基づいて図面と共に以下説明する。
図１に示す組織図は、第１，第２の合成繊維糸１，２と熱融着性を有する第１，第２の弾性繊維３，４とよりなる経編地１０１を示し、図２に示す組織図は、合成繊維糸５と熱融着性を有する第１，第２の合成繊維糸６，７と、天然繊維糸８とよりなる経編地１０２を示す。
【０００８】
本発明の衣料は上記経編地１０１，１０２を裁断することにより作られるが、図１に示す例にあっては、使用糸として第１，第２の合成繊維糸１，２として２本のナイロン糸１，２、熱融着性を有する第１，第２の弾性繊維糸３，４として２本のスパンデックス糸３，４を用いている。
次に上記各糸の編成組織について述べる。
第１の合成繊維糸１は、図１に図示した１番下のコース（１コース）から３コース目までは同一のウエールにおいて編成し、４コース目に隣接する左のウエールに移行しそのウエール上の６コースまで編成した後再び前のウエールに戻って１循環を編成しこの間すべて開き目を形成し、これを繰り返して編成してなる。
【０００９】
第２の合成繊維糸２は、図１のコースで閉じ目を作り、２コースで右側に隣接するウエールに開き目で編成し３コースは同じウエールで閉じ目を編成し４コースでは更に右に１ウエール移動し閉じ目を編成し、５コースでは左に反転し左ウエールで開き目を編成し、６コースでは同じウエールで閉じ目を編成することで１循環６コースの編成が終る。
【００１０】
弾性糸として第１，第２の熱融着性弾性繊維糸３，４が用意されている。弾性糸３は第１コースで針の左側を走行し、２コースでは右側の２針間を走行し３コースでは針の左側を走行してから４コースでは右側の２針間を走行して左に戻り５コースの針の左側から６コースの針の右側に進んだ後に再び２針間左側に走行して最初のコースのウエール位置に戻る挿入組織を形成している。
弾性糸４は１コースで閉じ目を形成し２コースでは右側に１ウエール振れて閉じ目を形成し、３コースでは左側に１ウエール戻り閉じ目を形成し、これを繰り返している。
【００１１】
第２の実施例である編地１０２の組織は、図２に示す如くであるが、図２に示す例にあっては使用糸として合成繊維としてナイロン糸５、第１，第２の弾性糸としてスパンデックス糸６，７及び天然繊維として綿糸８を用いている。
【００１２】
次に上記各糸の編成組織について述べる。
合成繊維糸５は、図２に図示した１番下のコース（１コース）に閉じ目を作って２コースは右に１ウエール寄って開き目で編成を行い３コースは同ウエールで閉じ目を編成し、４コースは更に右に１ウエール寄って閉じ目を作り、５コースは左に１コース戻って開き目で編成し、６コースは同ウエールで閉じ目を編成して左に１ウエール寄って当所の位置に戻った。即ち、６コースで１循環の編成が行われている。
【００１３】
第１の熱融着性弾性繊維糸６は、最初の１コースにおいて針の右側を走行し、次の２コースにおいて針の左側を走行するジグザグの挿入組織を連続している。弾性糸スパンデックス糸６はスパンデックス糸７に比較して太繊維糸である。
【００１４】
第２の熱融着性弾性繊維糸７は第１コースを閉じ目で編成し右に１ウエール寄って開き目を作り、３コースでは左に１ウエール寄って元に戻り閉じ目を作る。４コースでは右に１ウエール寄って閉じ目を作る。５コース目では左に１ウエール寄って開き目を作り６コースでは右に１ウエール寄って閉じ目を作る。このように１コースごとに左右に１ウエールずつ振って６コースで１循環とする。
【００１５】
天然繊維（綿糸）８は、常にスタート位置の針と２ウエール目の針との間をジクザグに往復して挿入組織を形成している。
上記において使用するレーヨン，ポリノジック等のセルロース再生繊維等の単独、或いは混繊した紡績糸やフィラメント糸から適宜選択すれば良く、又その太さは要求される編地の厚さに応じてその太さは選定されるがインナーウエアー用やスポーツウエアー用にはナイロン，ポリエステル等の合成繊維からなる２０〜７０デニールのマルチフィラメント糸が好ましい。
【００１６】
第１スパンデックス糸３は、インナーウエアー用やスポーツウエアー用としては、３０〜４２０デニールのポリウレタン弾性糸が好ましく、その太さは必要とされる弾性に応じて選択される。第２スパンデックス糸４は、第１スパンデックス糸であるがインナーウエアー用やスポーツウエアー用としては２０〜７０デニールのポリウレタン弾性糸が好ましく、その太さは必要とされる弾性や滑り難さに応じて選択される。
【００１７】
吸汗性，保湿性を高める為に、綿，羊毛等の天然繊維，レーヨン，ポリノジック等のセルロース再生繊維等を交編する場合にも、第１，第２スパンデックス糸を有したまま図２に示す如く合成繊維糸，スパンデックス糸の組織は、閉じ目、開き目を問わず自由に使い分けて良い。第２の実施例の如く第１，第２の非弾性繊維を使用する場合は、第１の非弾性繊維に綿，羊毛等の天然繊維，レーヨン，ポリノジック等の再生繊維等を使用する事により、公称表面伸縮素材となる。その際、第１非弾性繊維は毎コースニットしても、６コース組織で有れば６コースに１度ニットしても良い。
【図面の簡単な説明】
【００１８】
【図１】本発明衣料に用いる編地の第１の例を示す組織図。
【図２】動第２の例を示す組織図。
【符号の説明】
【００１９】
１  第１の合成繊維糸
２  第２の合成繊維糸
３  熱融着性を有する第１の弾性繊維糸（スパンデックス糸）
４  熱融着性を有する第２の弾性繊維糸（スパンデックス糸）
５  合成繊維糸
６  熱融着性を有する第１の弾性繊維糸
７  熱融着性を有する第２の弾性繊維糸
８  天然繊維糸（綿糸）
１０１，１０２  編地
【図１】
2009209480.tif 000003
【図２】
2009209480.tif 000004